(57)【要約】【課題】車両用ミラー制御装置における自動モードの設定／解除を安価な構成で行えるようにする。【解決手段】電動ミラー５を自動的に開閉制御する自動モードおよび電動ミラースイッチ３の操作に基づき電動ミラー５を開閉制御する手動モードのいずれかの制御モードに切替選択可能な車両用ミラー制御装置２は、自動モード、手動モードのいずれが切替選択されているかを判定するとともに、この判定結果に基づいて電動ミラー５の開閉制御を実行するボディＥＣＵ４を備え、電動ミラースイッチ３は、ボディＥＣＵ４に対して、電動ミラー５の開信号の出力、電動ミラー５の閉信号の出力および開、閉信号のいずれも無出力のいずれかに切替可能に構成され、ボディＥＣＵ４は、開信号および閉信号のいずれかが入力される場合は、制御モードを手動モードと判定し、開信号および閉信号のいずれも入力されない場合は、制御モードを自動モードと判定する。【選択図】  図１
2015182494.tif 000002
【特許請求の範囲】
【請求項１】
電動ミラーを自動的に開閉制御する自動モード、および、電動ミラースイッチの操作に基づき前記電動ミラーを開閉制御する手動モードのいずれかの制御モードに切替選択可能な車両用ミラー制御装置において、
前記制御モードが、前記自動モード、前記手動モードのいずれが切替選択されているかを判定する判定手段と、
前記判定手段による判定結果に基づいて、前記自動モードまたは前記手動モードに基づく前記開閉制御を実行する制御手段とを備え、
前記電動ミラースイッチは、前記判定手段に対して、前記電動ミラーの開信号の出力、前記電動ミラーの閉信号の出力および前記開、閉信号のいずれも無出力のいずれかに切替可能に構成され、
前記判定手段は、前記開信号および前記閉信号のいずれかが入力される場合は、前記手動モードと判定し、前記開信号および前記閉信号のいずれも入力されない場合は、前記自動モードと判定することを特徴とする車両用ミラー制御装置。
【発明の詳細な説明】
【技術分野】
【０００１】
この発明は、電動ミラーを自動的に開閉制御する自動モード、および、電動ミラースイッチの操作に基づき電動ミラーを開閉制御する手動モードのいずれかの制御モードに切替選択可能な車両用ミラー制御装置に関する。
【背景技術】
【０００２】
従来より、車両のドア等のボディ部に電動ミラーを設置して、車室内に配設された電動ミラースイッチの操作により、電動ミラーの開閉制御を行う車両用ミラー制御装置が知られている。例えば、特許文献１では、この種の車両用ミラー制御装置に用いられる電動ミラースイッチの一例が開示されており、スイッチノブを中立位置からからいずれか一方に押し操作した場合には、正逆一方の電動ミラーのモータ駆動がなされ、他方に押し操作した場合には、正逆他方の電動ミラーのモータ駆動がなされるように構成されている。また、スイッチノブの押下を止めると、中立位置に自動復帰するようになっている。
【０００３】
このような構成によると、電動ミラーの開または閉制御が完了するまで、スイッチノブの押下を継続しなければならず、運転者にとって煩わしいという問題がある。ここで、電動ミラーの開または閉制御が完了したことを、ロータリ接点方式、あるいはタイマーやリレー等を用いた電気回路方式で判断して電動ミラーの駆動モータへの通電を断つようにすることが考えられるが、電動ミラースイッチが高価となるという新たな問題が生じる。そこで、特許文献１に記載の電動ミラースイッチでは、スイッチノブが中立位置に自動復帰するように付勢部材を設けるとともに、スイッチノブが中立位置に自動復帰する速度を遅くするためのダンパを設け、電動ミラーの開または閉制御が完了するまでの通電時間を確保できるように構成されている。
【先行技術文献】
【特許文献】
【０００４】
【特許文献１】特開２００３−８６０６２号公報（段落０００６〜０００８、図３等参照）
【発明の概要】
【発明が解決しようとする課題】
【０００５】
ところで、近年の車業界では、車両ドアの開閉等を電子カードキーで行うキーフリーシステムが普及しており、このキーフリーシステムと電動ミラーの開閉制御とを連動させた車両も開発されている。この種の車両のミラー制御装置では、電動ミラースイッチの操作に基づき電動ミラーを開閉制御する手動モードと、所定の条件の成立により、電動ミラーを自動的に開閉制御する自動モードとを備えている。この場合、自動モードでは、例えば、運転者が下車して、電子カードキーのドアロックボタンを押下すると電動ミラーが自動的に閉制御されるとともに、運転者が乗車して、イグニッションスイッチをオンすると電動ミラーが自動的に開制御されるように構成されている。
【０００６】
このような自動モードと手動モードとを有するミラー制御装置では、自動モード状態でイグニッションスイッチがオンされると、自動的に電動ミラーが開制御されるため、例えば、電動ミラーが凍結したり雪に覆われている場合に電動ミラーの駆動モータに過剰な負荷がかかり、駆動モータが破損するおそれがある。したがって、寒冷地では、冬場は自動モードを解除して、電動ミラーを常に開状態にしたいという要望がある。
【０００７】
この要望に応える方策として、電動ミラースイッチに自動モードのオン／オフスイッチを設け、当該スイッチのオフ操作により自動モードを解除して、ミラー制御装置とキーフリーシステムとの連動を一時的に解除することが考えられるが、電動ミラースイッチの接点や、電動ミラースイッチと制御部とを繋ぐ信号線等が増えるため、ミラー制御装置のコストが高くなる。
【０００８】
本発明は、上記課題に鑑みなされたものであり、電動ミラーを自動的に開閉制御する自動モードと電動ミラースイッチの操作に基づき電動ミラーを開閉制御する手動モードとを有する車両用ミラー制御装置において、自動モードの設定／解除を安価な構成で行えるようにすることを目的とする。
【課題を解決するための手段】
【０００９】
上記した目的を達成するために、本発明の車両用ミラー制御装置は、電動ミラーを自動的に開閉制御する自動モード、および、電動ミラースイッチの操作に基づき前記電動ミラーを開閉制御する手動モードのいずれかの制御モードに切替選択可能な車両用ミラー制御装置において、前記制御モードが、前記自動モード、前記手動モードのいずれが切替選択されているかを判定する判定手段と、前記判定手段による判定結果に基づいて、前記自動モードまたは前記手動モードに基づく前記開閉制御を実行する制御手段とを備え、前記電動ミラースイッチは、前記判定手段に対して、前記電動ミラーの開信号の出力、前記電動ミラーの閉信号の出力および前記開、閉信号のいずれも無出力のいずれかに切替可能に構成され、前記判定手段は、前記開信号および前記閉信号のいずれかが入力される場合は、前記手動モードと判定し、前記開信号および前記閉信号のいずれも入力されない場合は、前記自動モードと判定することを特徴としている（請求項１）。
【発明の効果】
【００１０】
請求項１にかかる発明によれば、電動ミラースイッチが、判定手段に対して、電動ミラーの開信号の出力、電動ミラーの閉信号の出力および開、閉信号のいずれも無出力のいずれかに切替可能に構成され、判定手段は、開信号および閉信号のいずれかが入力される場合は、手動モードと判定し、開信号および閉信号のいずれも入力されない場合は、前記自動モードと判定する。
【００１１】
この構成によると、電動ミラースイッチを開信号または閉信号が出力されるように操作すると、判定手段が手動モードと判定して、自動モードが解除される。したがって、例えば、自動モードが、電子カードキーのドアロック解除ボタンの押下により、電動ミラーを自動的に閉制御し、イグニッションスイッチのオン操作により電動ミラーを自動的に開制御するように構成される場合に、運転者が電動ミラースイッチを開信号が出力されるように意図的に操作しておけば、下車時に電子カードキーのドアロック解除ボタンを押下した場合であっても、電動ミラーの開状態は維持される。また、次の乗車時にイグニッションスイッチをオン操作しても、電動ミラーは開かない。すなわち、運転者が電動ミラースイッチから開または閉信号が出力されるように操作し、意図的に自動モードを解除することで、キーフリーシステムと連動して自動的に電動ミラーの駆動モータが作動するのを防止することができるため、電動ミラーの凍結時等の駆動モータの破損を防止することができる。
【００１２】
一方、電動ミラースイッチを無出力状態に切替えることで、判定手段が自動モードと判定して、自動モードが設定されるため、この場合は、キーフリーシステムと連動して電動ミラーが自動的に開閉制御される。また、上記した自動モードの解除／設定を行うのに、従来のように別途、自動モードのオン／オフの接点（スイッチ）を設けたり、該接点と制御部とを繋ぐ信号線を設ける必要がないため、安価な構成で自動モードの解除／設定を行うことができる車両用ミラー制御装置を提供することができる。また、電動ミラースイッチに自動モードのオン／オフの接点を設けない分、当該スイッチの小型化を図ることもできる。
【図面の簡単な説明】
【００１３】
【図１】本発明の一実施形態にかかる車両用ミラー制御装置のブロック図である。
【図２】図１の車両用ミラー制御装置の動作説明図である。
【発明を実施するための形態】
【００１４】
本発明の一実施形態にかかる車両用ミラー制御装置について、図１および図２を参照して説明する。なお、図１は車両用ミラー制御装置のブロック図、図２は車両用ミラー制御装置の動作説明図である。
【００１５】
この実施形態において、車両１に配設される車両用ミラー制御装置２は、電動ミラー５を開閉制御するための電動ミラースイッチ３と、該電動ミラースイッチ３に接続されて電動ミラー５を開閉制御するボディＥＣＵ４とを備え、電動ミラー５を自動的に開閉制御する自動モード、および、電動ミラースイッチ３の操作に基づき電動ミラー５を開閉制御する手動モードのいずれかの制御モードに切替選択可能に構成されている。
【００１６】
電動ミラースイッチ３は３ポジションスイッチにより構成され、バッテリー６に接続される共通接点ＣＰと、ボディＥＣＵ４に接続され、該ボディＥＣＵ４に電動ミラー５の開信号を出力するための第１接点ＯＰと、同じくボディＥＣＵ４に接続され、該ボディＥＣＵ４に電動ミラー５の閉信号を出力するための第２接点ＣＬとを備えるほか、どこにも接続されていない中立位置を採り得る。これにより、電動ミラースイッチ３は、ボディＥＣＵ４に対して、電動ミラー５の開信号の出力、電動ミラー５の閉信号の出力および開、閉信号のいずれも無出力のいずれかに切替可能に構成されている。
【００１７】
具体的には、電動ミラースイッチ３は、例えば、シーソー型のスイッチを用いることができる。この場合、スイッチノブ（図示せず）を一方側に押し操作すると共通接点ＣＰと第１接点ＯＰとが接続され（開信号の出力）、他方側に押し操作すると共通接点ＣＰと第２接点ＣＬとが接続され（閉信号の出力）、一方側と他方側の中間位置に押し操作すると共通接点ＣＰが第１接点ＯＰおよび第２接点ＣＬのいずれでもない中立状態（開、閉信号のいずれも無出力）となるように構成されている。なお、図１では、電動ミラースイッチ３が中立位置にある状態を図示している。
【００１８】
また、電動ミラースイッチ３の構成は、上記したものに限らず、例えば、押し操作すると共通接点ＣＰと第１接点ＯＰとが接続される開ボタンと、押し操作すると共通接点ＣＰと第２接点ＣＬとが接続される閉ボタンとを設け、これらのボタンの一方が押圧された後に、いずれか一方のボタンを半押しすると、前記中立位置になるようにして、開信号の出力、閉信号の出力および開、閉信号のいずれも無出力のいずれかに切替可能に構成してもかまわない。
【００１９】
ボディＥＣＵ４は、マイクロコンピュータで構成され、電動ミラー５の駆動モータの正回転または逆回転の制御を行うことにより、自動モードまたは手動モードに基づく電動ミラー５の開閉制御を実行する。ここで、ボディＥＣＵ４は、電動ミラースイッチ３が第１接点側または第２接点側に押し操作された場合、つまり、開信号または閉信号のいずれかが入力される場合に、電動ミラー５の制御モードが手動モードに切替選択されていると判定する（図２参照）。そして、例えば、電動ミラースイッチ３が第１接点側に押し操作された場合は、電動ミラー５の駆動モータを正回転させることにより、電動ミラー５の開制御を実行する。また、電動ミラースイッチ３が第２接点側に押し操作された場合は、駆動モータを逆回転させることにより、電動ミラー５の閉制御を実行する。また、ボディＥＣＵ４は、イグニッションスイッチ１０と接続されており、当該スイッチ１０からのオン信号を取得することができるように構成されている。
【００２０】
また、ボディＥＣＵ４は、電動ミラースイッチ３が中立位置に押し操作された場合（開、閉信号のいずれも入力されない場合）に、電動ミラー５の制御モードが自動モードに切替選択されていると判定する（図２参照）。この場合、ボディＥＣＵ４は、車両１が備えるキーフリーシステムと連動して電動ミラー５を自動的に開閉制御する。なお、ボディＥＣＵ４は、上記した電動ミラー５の開閉制御のほか、後述するキーフリーＥＣＵ７からの信号を取得して、車両ドア（図示せず）を施錠／解除するためのドアロックモータ（図示せず）の駆動を制御することにより、車両ドアのロック／解除制御を実行する機能も有する。
【００２１】
この実施形態では、電動ミラーの制御モードが自動モードである場合、電子カードキー９のドアロック／解除ボタン９ａの押し操作により車両ドアがロックされることを契機として、ボディＥＣＵ４により電動ミラー５が自動的に閉制御されるように構成されている。また、イグニッションスイッチ１０がオン操作されてエンジンが始動されることを契機として、ボディＥＣＵ４により電動ミラー５が自動的に開制御されるように構成されている。
【００２２】
この自動モードについて具体的に説明すると、ボディＥＣＵ４は、ＣＡＮ（Ｃｏｎｔｒｏｌｌｅｒ  Ａｒｅａ  Ｎｅｔｗｏｒｋ）等の通信バス８を介して、キーフリーシステムの制御を司るキーフリーＥＣＵ７に接続されており、当該キーフリーＥＣＵ７との間で信号のやり取りが行えるように構成されている。
【００２３】
キーフリーＥＣＵ７は、マイクロコンピュータ構成であり、電子カードキー９との間で信号の無線通信を行うための送受信部７ａを備えている。また、電子カードキー９は、例えば、車両ドアのロック／解除を行うためのドアロック／解除ボタン９ａと、キーフリーＥＣＵ７との間で信号の無線通信を行うための送受信部９ｂとを備えている。
【００２４】
ここで、運転者が下車して、電子カードキー９のドアロック／解除ボタンを操作した場合、電子カードキー９の送受信部９ｂから、認証信号とともに、ドアをロックする旨の信号が送信される。キーフリーＥＣＵ７は、これらの信号を送受信部７ａにより受信し、通信バス８を介してドアをロックする旨の信号をボディＥＣＵ４に出力する。このとき、電動ミラー５の制御モードが自動モードと判定したボディＥＣＵ４は、ドアロックモータを駆動させて車両ドアをロックするとともに、電動ミラー５を自動的に閉制御する。一方、運転者が乗車しイグニッションスイッチ１０をオン操作した場合、その旨の信号を取得したボディＥＣＵ４は、電動ミラー５を自動的に開制御する。
【００２５】
このように、ボディＥＣＵ４による、電動ミラー５の制御モードが自動モード、手動モードのいずれが切替選択されているかを判定する機能が、本発明の「判定手段」に相当し、この判定結果に基づいて、同じくボディＥＣＵ４により、自動モードまたは手動モードに基づく電動ミラー５の開閉制御を実行する機能が、本発明の「制御手段」に相当する。
【００２６】
したがって、上記した実施形態によれば、電動ミラースイッチ３が、ボディＥＣＵ４に対して、電動ミラー５の開信号の出力、電動ミラー５の閉信号の出力および開、閉信号のいずれも無出力のいずれかに切替可能に構成されている。また、ボディＥＣＵ４は、開信号および閉信号のいずれかが入力される場合は、電動ミラー５の制御モードを手動モードと判定し、開信号および閉信号のいずれも入力されない場合は、電動ミラー５の制御モードを自動モードと判定する。
【００２７】
この構成によると、電動ミラースイッチ３を開信号または閉信号が出力されるように押し操作すると、ボディＥＣＵ４が電動ミラー５の制御モードを手動モードと判定して、自動モードが解除される。したがって、自動モードが、上記したようにキーフリーシステムと連動する場合に、運転者が電動ミラースイッチ３を開信号が出力されるように意図的に操作しておけば、電動ミラー５の自動モードが解除される。この場合、下車時に電子カードキー９のドアロック解除ボタンを押下した場合であっても、電動ミラー５の開状態は維持される。また、次の乗車時にイグニッションスイッチ１０をオン操作しても、電動ミラー５は開かない。すなわち、運転者が電動ミラースイッチ３を押し操作（第１接点ＯＰ側または第２接点ＣＬ側への押し操作）し、意図的に自動モードを解除することで、キーフリーシステムと連動して自動的に電動ミラー５の駆動モータが作動するのを防止することができるため、電動ミラー５の凍結時等の駆動モータの破損を防止することができる。
【００２８】
一方、電動ミラースイッチ３を無出力状態に切替えることで、ボディＥＣＵ４が電動ミラー５の制御モードを自動モードと判定して、自動モードが設定されるため、この場合は、キーフリーシステムと連動して電動ミラー５が自動的に開閉制御される。また、上記した自動モードの解除／設定を行うのに、従来のように別途、自動モードのオン／オフの接点を設けたり、該接点とボディＥＣＵ４とを繋ぐ信号線を設ける必要がないため、安価な構成で自動モードの解除／設定を行うことができる車両用ミラー制御装置２を提供することができる。また、電動ミラースイッチ３に自動モードのオン／オフの接点を設けない分、当該スイッチ３の小型化を図ることもできる。
【００２９】
また、このような電動ミラー５の自動モード制御の解除は、あくまでもキーフリーシステムの中から車両用ミラー制御装置２の制御（電動ミラーの制御）のみを切り離すだけなので、例えば、キーフリーシステムにおける電子カードキー９の認証や、車両ドアのロック／解除の制御は通常通りに実施することができるため実用的である。
【００３０】
なお、本発明は上記した実施形態に限定されるものではなく、その趣旨を逸脱しない限りにおいて、上述したもの以外に種々の変更を行うことが可能である。例えば、上記した実施形態では、イグニッションスイッチ１０のオン信号を直接ボディＥＣＵ４が取得する場合について説明したが、例えば、エンジンの始動／停止等を制御するエンジンＥＣＵが、当該イグニッションスイッチ１０のオン信号を取得するように構成して、ボディＥＣＵ４が、通信バス８を介してエンジンＥＣＵから当該オン信号を取得するようにしてもよい。
【符号の説明】
【００３１】
２…      車両用ミラー制御装置
３…      電動ミラースイッチ
４…      ボディＥＣＵ（判定手段、制御手段）
５…      電動ミラー
【図１】
2015182494.tif 000003
【図２】
2015182494.tif 000004